(57)【要約】【課題】同一ネットワークに同様の機能を有する機器が複数台接続されていても、データ送受信の相手方となる機器を特定可能なデータ送信装置、データ要求装置およびデータ再生システムを提供することを目的とする。【解決手段】ネットワークに接続され、ネットワークに接続されたデータ要求装置からのデータ要求に応じて前記ネットワークにデータを送信するデータ送信装置であって、データ要求装置と共通の筐体に収納され、かつ、ネットワークとは異なるインタフェースによってデータ要求装置と接続されるように、データ送信装置を構成する。【選択図】図１
2009267551.tif 000002
【特許請求の範囲】
【請求項１】
ネットワークに接続され、前記ネットワークに接続されたデータ要求装置からのデータ要求に応じて前記ネットワークにデータを送信するデータ送信装置であって、
前記データ要求装置と共通の筐体に収納され、かつ、前記ネットワークとは異なるインタフェースによって前記データ要求装置と接続されることを特徴とする、データ送信装置。
【請求項２】
前記データ送信装置を識別するための識別子を有し、
前記インタフェースを介して前記識別子を前記データ要求装置に送信することを特徴とする、請求項１に記載のデータ送信装置。
【請求項３】
前記インタフェースを介して受信した前記識別子を前記ネットワークを介して送信した前記データ要求装置から送信された前記データ要求に応じて、前記データを送信することを特徴とする、請求項２に記載のデータ送信装置。
【請求項４】
データを記憶するデータ記憶手段と、
ネットワークに接続するための第１の通信インタフェース手段と、
前記第１の通信インタフェース手段と異なる第２の通信インタフェース手段と、
所定の識別子を記憶する識別子記憶手段と、
前記第２の通信インタフェース手段を介して前記識別子を送信する識別子送信手段と、
前記第１の通信インタフェース手段を介して前記識別子を受信し、前記識別子記憶手段の記憶する前記所定の識別子との一致を判断する識別子照合手段と、
前記識別子照合手段により一致と判断されたときに、前記データを前記第１の通信インタフェース手段を介して送信するデータ送信手段とを有することを特徴とする、データ送信装置。
【請求項５】
ネットワークに接続され、前記ネットワークに接続されたデータ送信装置にデータの前記ネットワークへの送信を要求するデータ要求装置であって、
前記データ送信装置と共通の筐体に収納され、かつ、前記ネットワークとは異なるインタフェースによって前記データ送信装置と接続されることを特徴とする、データ要求装置。
【請求項６】
データを記憶するデータ記憶手段と、ネットワークに接続するための第１の通信インタフェース手段と、前記第１の通信インタフェース手段と異なる第２の通信インタフェース手段と、所定の識別子を記憶する識別子記憶手段とを有するデータ送信装置と、
前記データの送信を要求するデータ送信要求を送信するデータ要求手段と、前記ネットワークに接続するための第３の通信インタフェース手段と、前記第３の通信インタフェース手段と異なる第４の通信インタフェース手段とを有するデータ要求装置とを同一筐体内に有し、
前記第１の通信インタフェース手段と前記第３の通信インタフェース手段と、並びに前記第２の通信インタフェース手段と前記第４の通信インタフェース手段とがそれぞれ通信可能に接続され、
前記データ送信装置は、前記第２の通信インタフェース手段を介して前記識別子を前記データ要求装置に送信し、
前記データ要求装置は、前記第３の通信インタフェース手段を介して前記識別子を前記データ送信装置に送信し、
前記データ送信装置は、前記第１の通信インタフェース手段を介して受信した前記識別子が、前記識別子記憶手段に記憶される所定の識別子と一致したときに、要求された前記データを送信することを特徴とする、データ再生システム。
【請求項７】
データを記憶するデータ記憶手段と、ネットワークに接続するための第１の通信インタフェース手段と、前記第１の通信インタフェース手段と異なる第２の通信インタフェース手段とを有するデータ送信装置と、
前記データの送信を要求するデータ送信要求を送信するデータ要求手段と、前記ネットワークに接続するための第３の通信インタフェース手段と、前記第３の通信インタフェース手段と異なる第４の通信インタフェース手段と、所定の識別子を記憶する識別子記憶手段とを有するデータ要求装置とを同一筐体内に有し、
前記第１の通信インタフェース手段と前記第３の通信インタフェース手段と、並びに前記第２の通信インタフェース手段と前記第４の通信インタフェース手段とがそれぞれ通信可能に接続され、
前記データ要求装置は、前記第４の通信インタフェース手段を介して前記識別子を前記データ送信装置に送信し、
前記データ要求装置は、前記第３の通信インタフェース手段を介して前記識別子記憶手段に記憶される所定の識別子と前記データ送信要求とを前記データ送信装置に送信し、
前記データ送信装置は、前記第１の通信インタフェース手段を介して受信した前記所定の識別子が、前記第２の通信インタフェース手段を介して受信した前記識別子と一致したときに、要求された前記データを送信することを特徴とする、データ再生システム。
【発明の詳細な説明】
【技術分野】
【０００１】
本発明は、ネットワークに接続されてデータを送信するデータ送信装置、データを要求するデータ要求装置およびデータを記録し再生するデータ再生システムに関し、特に、同一ネットワークに複数台接続されても特定の相手方機器との間でデータの送受信が可能なデータ送信装置、データ要求装置およびデータ再生システムに関する。
【背景技術】
【０００２】
情報処理装置を、ＩＥＥＥ８０２標準により定められるインターネットに代表されるネットワークに接続し、相互に連携して動作させる使い方が、一般的になっている。例えば、家庭内でＩＥＥＥ８０２標準に準拠したネットワーク（以下、単に「ネットワーク」という。）を構築し、パーソナルコンピュータとファイルサーバをそれぞれネットワークに接続することで、パーソナルコンピュータは、ファイルサーバに対してデータの書き込みと読み出しを行うことができる。
【０００３】
ネットワークに接続された機器を別の機器から使用する際には、その機器を特定して設定を行う必要がある。特許文献１には、ネットワークに接続された機器の一覧をユーザ端末に表示し、ユーザが使用する機器を選択することのできる複合機が開示されている。
【０００４】
【特許文献１】特開２００７−２５１３３０号公報
【発明の開示】
【発明が解決しようとする課題】
【０００５】
ネットワークにはさまざまな機器を接続することができ、同様の機能を有する機器を複数接続することも可能である。ここで、例えばファイルサーバＡとファイルサーバＢとがネットワーク上に存在する場合、ファイルサーバＡとファイルサーバＢのネットワーク情報と機器の物理的情報とを対応づけることができない。
【０００６】
すなわち、例えば書斎にパーソナルコンピュータとファイルサーバＡがあり、居間にファイルサーバＢがあるときに、パーソナルコンピュータからネットワークを参照すると、ファイルサーバが２台認識される。ここで、パーソナルコンピュータからファイルサーバＡのつもりで２台のうちの１台のファイルサーバにデータを書き込んだところ、実際に書き込んだのはファイルサーバＢという事態が生じうる。
【０００７】
このとき、ユーザは居間にあるファイルサーバＢにはデータが書き込まれていないと考えているので、省電力等の観点からファイルサーバＢの電源を切りたいと考える場合がある。しかし、ファイルサーバＢの電源を切ってしまうと、実際にはファイルサーバＢにデータが書き込まれているので、パーソナルコンピュータからデータにアクセスすることができなくなってしまい、ユーザの混乱を招いて問題となる。
【０００８】
こうしたネットワーク情報と機器の物理的情報とが対応づけられない問題は、パーソナルコンピュータとファイルサーバとを同一筐体に収容して電源系統を共有する一方で、それぞれがネットワークに接続された構成を有し、テレビ放送受信機をファイルサーバに接続してファイルサーバに番組を記録し、ファイルサーバに記録された番組をパーソナルコンピュータで再生する、図１に示すようなデータ再生システムを、複数台同一ネットワークに接続する場合には特に顕著となる。電源オフや再起動といった処理が筐体全体に対して行われるからである。
【０００９】
特許文献１に記載の複合機では、予め設定しておくことで、ネットワークに接続された機器の属性、例えば名称、ロケーション、グループなどをユーザ端末に表示させることができる。これにより、ユーザは迷うことなくネットワーク上の機器を使用可能となる。しかし、このような表示を行うためには、事前にこうした属性を設定しておかなければならない。事前設定のときには属性がない状態で一覧表示されることになり、上記問題は依然として残る。
【００１０】
そこで、本発明は、同一ネットワークに同様の機能を有する機器が複数台接続されていても、データ送受信の相手方となる機器を特定可能なデータ送信装置、データ要求装置およびデータ再生システムを提供することを目的とする。
【課題を解決するための手段】
【００１１】
本発明の第１のデータ送信装置は、ネットワークに接続され、ネットワークに接続されたデータ要求装置からのデータ要求に応じて前記ネットワークにデータを送信するものであって、データ要求装置と共通の筐体に収納され、かつ、ネットワークとは異なるインタフェースによってデータ要求装置と接続されることを特徴とする。
【００１２】
本発明の第２のデータ送信装置は、データを記憶するデータ記憶手段と、ネットワークに接続するための第１の通信インタフェース手段と、第１の通信インタフェース手段と異なる第２の通信インタフェース手段と、所定の識別子を記憶する識別子記憶手段と、識別子を第２の通信インタフェース手段を介して送信する識別子送信手段と、データを第１の通信インタフェース手段を介して送信することを要求するデータ送信要求が、識別子を含むときに、データを第１の通信インタフェース手段を介して送信するデータ送信手段とを有することを特徴とする。
【００１３】
本発明のデータ要求装置は、ネットワークに接続され、ネットワークに接続されたデータ送信装置にデータのネットワークへの送信を要求するものであって、データ送信装置と共通の筐体に収納され、かつ、ネットワークとは異なるインタフェースによってデータ送信装置と接続されることを特徴とする。
【００１４】
本発明の第１のデータ再生システムは、データを記憶するデータ記憶手段と、ネットワークに接続するための第１の通信インタフェース手段と、第１の通信インタフェース手段と異なる第２の通信インタフェース手段と、所定の識別子を記憶する識別子記憶手段とを有するデータ送信装置と、データの送信を要求するデータ送信要求を送信するデータ要求手段と、ネットワークに接続するための第３の通信インタフェース手段と、第３の通信インタフェース手段と異なる第４の通信インタフェース手段とを有するデータ要求装置とを同一筐体内に有し、第１の通信インタフェース手段と第３の通信インタフェース手段と、並びに第２の通信インタフェース手段と第４の通信インタフェース手段とがそれぞれ通信可能に接続され、データ送信装置は、第２の通信インタフェース手段を介して識別子をデータ要求装置に送信し、データ要求装置は、第３の通信インタフェース手段を介して識別子をデータ送信装置に送信し、データ送信装置は、第１の通信インタフェース手段を介して受信した識別子が、識別子記憶手段に記憶される所定の識別子と一致したときに、要求されたデータを送信することを特徴とする。
【００１５】
本発明の第２のデータ再生システムは、データを記憶するデータ記憶手段と、ネットワークに接続するための第１の通信インタフェース手段と、第１の通信インタフェース手段と異なる第２の通信インタフェース手段とを有するデータ送信装置と、データの送信を要求するデータ送信要求を送信するデータ要求手段と、ネットワークに接続するための第３の通信インタフェース手段と、第３の通信インタフェース手段と異なる第４の通信インタフェース手段と、所定の識別子を記憶する識別子記憶手段とを有するデータ要求装置とを同一筐体内に有し、第１の通信インタフェース手段と第３の通信インタフェース手段と、並びに第２の通信インタフェース手段と第４の通信インタフェース手段とがそれぞれ通信可能に接続され、データ要求装置は、第４の通信インタフェース手段を介して識別子をデータ送信装置に送信し、データ要求装置は、第３の通信インタフェース手段を介して識別子記憶手段に記憶される所定の識別子とデータ送信要求とをデータ送信装置に送信し、データ送信装置は、第１の通信インタフェース手段を介して受信した所定の識別子が、第２の通信インタフェース手段を介して受信した識別子と一致したときに、要求されたデータを送信することを特徴とする。
【発明の効果】
【００１６】
本発明によれば、同一ネットワークに同様の機能を有する機器が複数台接続されていても、データ送受信の相手方となる機器を特定可能なデータ送信装置、データ要求装置およびデータ再生システムを提供することができる。
【発明を実施するための最良の形態】
【００１７】
以下、図面を参照して本発明を実施するための最良の形態について詳細に説明する。本実施形態では、データの送信を要求するデータ要求装置と、データ送信要求に対応してデータを送信するデータ送信装置とを同一筐体に収納し、ネットワーク経由で接続したデータ再生システムにおいて、データ要求装置とデータ送信装置とをネットワークと異なるインタフェースで接続することにより、データ送受信の相手方となる機器を特定可能としている。
【００１８】
図１は、本実施形態のデータ再生システムの構成を示す図である。図１を参照すると、本実施形態のデータ再生システム１０は、データ要求装置２０、データ送信装置３０、ハブ４０と電源装置５０とを有し、ネットワーク６０に接続される。データ再生システム１０は、具体的には、図示しないテレビジョン放送受信機と接続され、テレビジョン番組を図示しない記録手段に録画可能なデータ送信装置３０と、図示しないキーボードやマウスなどの入力手段と図示しない液晶ディスプレイ装置などの出力手段とを有し、ユーザが操作してデータ送信装置３０に録画された番組の中から希望の番組の再生を指定し、表示するデータ要求装置２０とをネットワークで接続して１筐体に収納することで構成可能である。
【００１９】
データ要求装置２０は、ネットワークインタフェース２１、通信インタフェース２２、ＩＤ取得手段２３およびデータ要求手段２４を有する。データ要求装置２０は、例えば図示しないキーボードやマウスなどの入力手段にユーザ操作が入力されたことに対応して、データ送信装置３０に対してネットワークインタフェース２１を介してデータ要求を行う。
【００２０】
ネットワークインタフェース２１は、データ要求装置２０がネットワークを介してデータ要求を行い、データを受信するために使用される。具体的には、データ要求装置２０をネットワークに接続するために必要な物理的な構造、例えば有線ＬＡＮにおけるケーブルコネクタや無線ＬＡＮにおけるＲＦ回路やアンテナなどの他、データ要求装置２０内部で使用されるデータとネットワーク通信に適した形式との間で相互に変換するための専用の集積回路や、所定のソフトウェアを実行するマイクロプロセッサにより構成される。
【００２１】
通信インタフェース２２は、データ要求装置２０とデータ送信装置３０との間でＩＤを送受信するために使用される。具体的には、ネットワークインタフェース２１同様に、物理的な構造とデータ形式変換を行う専用の集積回路や、所定のソフトウェアを実行するマイクロプロセッサによって構成され、例えばＲＳ−２３２Ｃシリアルインタフェース、ユニバーサルシリアルバス、Ｉ２Ｃバスなどが適用可能であるが、これらに限らない。
【００２２】
ＩＤ取得手段２３は、通信インタフェース２２を介してデータ送信装置３０に後述する装置ＩＤの送信を要求し、通信インタフェース２２を介して装置ＩＤを取得して保存する。ＩＤ取得手段２３は、具体的には専用の集積回路や、所定のソフトウェアを実行するマイクロプロセッサにより構成可能である。
【００２３】
データ要求手段２４は、ネットワークインタフェース２１を介してデータ送信装置３０に、ＩＤ取得手段２３が保存する装置ＩＤを送信するとともに所定のデータの送信を要求する。データ要求手段２４は、具体的には所定のソフトウェアを実行するマイクロプロセッサにより構成可能である。ここで、データ要求手段２４は、ネットワークインタフェース２１を介してデータ送信装置３０からデータを受信可能に構成されてもよい。
【００２４】
次に、データ送信装置３０は、ネットワークインタフェース３１、通信インタフェース３２、ＩＤ記憶手段３３、要求受信手段３４、ＩＤ照合手段３５、データ記憶手段３６およびデータ送信手段３７を有する。データ送信装置３０は、データ要求装置２０からのデータ要求に対応して、要求されたデータを送信する。
【００２５】
ネットワークインタフェース３１と通信インタフェース３２は、データ要求装置２０におけるネットワークインタフェース２１と通信インタフェース２２と同様であるので、説明を省略する。
【００２６】
ＩＤ記憶手段３３は、データ送信装置３０を識別可能に付与される装置ＩＤを記憶し、通信インタフェース３２を介してデータ要求装置２０から装置ＩＤの送信要求を受けたときに、通信インタフェース３２を介して装置ＩＤを送信する。ＩＤ記憶手段３３は、具体的には専用の集積回路や、所定のソフトウェアを実行するマイクロプロセッサにより構成可能である。
【００２７】
要求受信手段３４は、ネットワークインタフェース３１を介してデータ送信要求を受信する。要求受信手段３４は、具体的には専用の集積回路や、所定のソフトウェアを実行するマイクロプロセッサにより構成可能である。
【００２８】
ＩＤ照合手段３５は、データ要求装置２０により送信され要求受信手段３４が受信した装置ＩＤと、ＩＤ記憶手段３３の記憶する装置ＩＤとが一致するかを照合する。ＩＤ照合手段３５は、具体的には専用の集積回路や、所定のソフトウェアを実行するマイクロプロセッサにより構成可能である。
【００２９】
データ記憶手段３６は、データ送信装置３０がデータ要求装置２０のデータ送信要求に対応して送信すべきデータを記憶する。データ記憶手段３６は、具体的にはハードディスクドライブ装置やフラッシュメモリ装置などの不揮発記憶装置により構成可能である。また、テレビジョンチューナなど他の装置からデータを受信して一時的に記憶し、それをデータ要求装置２０に送信するような構成であってもよく、この場合はダイナミックランダムアクセスメモリのような揮発記憶装置によって構成可能である。
【００３０】
データ送信手段３７は、データ要求装置２０のデータ送信要求に対応したデータをデータ記憶手段３６から読み出してネットワークインタフェース３１を介して送信する。データ送信装置３７は、具体的には、専用の集積回路や、所定のソフトウェアを実行するマイクロプロセッサにより構成可能である。
【００３１】
次に、ハブ４０は、データ要求装置２０のネットワークインタフェース２１とデータ送信装置３０のネットワークインタフェース３１のそれぞれを、ネットワーク６０に接続する。ハブ４０は、具体的には、専用の集積回路や、所定のソフトウェアを実行するマイクロプロセッサにより構成可能である。なお、データ要求装置２０のネットワークインタフェース２１とデータ送信装置３０のネットワークインタフェース３１をそれぞれネットワーク６０に接続し、ハブ４０を有しないようにデータ再生システム１０を構成することも可能である。
【００３２】
次に、電源装置５０は、データ再生システム１０のうち少なくともデータ要求装置２０とデータ送信装置３０に対して、動作に必要な電力を供給する。これにより、データ再生システム１０の一括した電源オフや再起動が容易に可能となる。電源装置５０は、具体的には変圧器、整流器、定電圧回路、スイッチング素子などによって構成可能である。
【００３３】
続いて、図２および図３を参照して、データ再生システム１０の動作を説明する。図２は、本実施形態のデータ再生システム１０が装置ＩＤを送受信するときの動作を説明する図であり、図３は、本実施形態のデータ再生システム１０がデータを送受信するときの動作を説明する図である。図２の動作は、図３の動作に先立って行われる。図２を参照すると、ＩＤ取得手段２３は、通信インタフェース２２を介して装置ＩＤの送信を要求する（ステップＳ１１）。
【００３４】
通信インタフェース３２を介して装置ＩＤの送信要求を受信したＩＤ記憶手段３３は通信インタフェース３２を介して装置ＩＤを送信し、通信インタフェース２２を介して受信したＩＤ取得手段２３は装置ＩＤを記憶する（ステップＳ１２）。このとき、ＩＤ記憶手段３３は、装置ＩＤを暗号化して送信してもよい。
【００３５】
続いて、図３を参照して、本実施形態のデータ再生システム１０がデータを送受信するときの動作を説明する。まず、データ要求手段２４は、ＩＤ取得手段２３から装置ＩＤを読み出し、ネットワークインタフェース２１を介して送信する（ステップＳ２１）。このとき、データ要求手段は、装置ＩＤを暗号化して送信してもよい。
【００３６】
続いて、ネットワークインタフェース３１を介して装置ＩＤを受信したＩＤ照合手段３５は、受信した装置ＩＤとＩＤ記憶手段３３に記憶されている装置ＩＤとが一致するか否かを判断する（ステップＳ２２）。ステップＳ２１において装置ＩＤが暗号化されているときは、ＩＤ照合手段３５は、復号化を行う。
【００３７】
ステップＳ２２で装置ＩＤが一致すると判断された場合、ＩＤ照合手段３５は、ネットワークインタフェース３１を介して認証結果を送信する（ステップＳ２３）。続いてデータ要求手段２４は、ネットワークインタフェース２１を介してデータ送信要求を送信し（ステップＳ２４）、データ送信手段３７は要求されたデータをデータ記憶手段３６から読み出してネットワークインタフェース３１を介して送信する。
【００３８】
ステップＳ２２で装置ＩＤが一致しないと判断された場合、何も動作せずに終了するが、ＩＤ照合手段３５がネットワークインタフェース３２を介してエラーメッセージを送信するようにしてもよい。
【００３９】
装置ＩＤによる認証は、データ送信要求ごとに行ってもよく、認証された結果をデータ送信装置３０が保持しておくように構成してデータ送信装置３０が要求するときのみ行うようにしてもよい。このように構成すると、データ再生システムに求められるさまざまな条件に対応することができる。例えば、家庭でのビデオデータ再生では厳密な認証よりも処理の高速化を有線して認証結果の有効期間を長くし、企業での機密データ再生ではデータ要求ごとに認証するよう構成することができる。なお、装置ＩＤは、データ要求と同時に送信するよう構成することも可能である。
【００４０】
また、本実施形態においてはデータ送信装置３０の装置ＩＤをデータ要求装置２０が要求する構成を取っているが、データ要求装置２０の装置ＩＤをデータ送信装置が要求するよう構成してもよい。この場合、データ要求装置２０が装置ＩＤとともにデータ送信要求を送信し、データ送信装置３０は、事前に通信インタフェース３２を介して受信したデータ要求装置２０の装置ＩＤと照合することで、本発明の目的を達成することができる。
【００４１】
また、データ要求に含まれる装置ＩＤの照合は、必ずしもデータ要求ごとに行う必要はなく、一度照合して一致が確認されれば、所定要求回数ないし所定時間の経過までは照合を行わないよう、データ送信装置３０を動作させてもよい。このとき、照合が行われないデータ送信要求を送信する際には、データ要求装置２０を、装置ＩＤをデータ送信要求とともに送信しないよう動作させることができる。
【図面の簡単な説明】
【００４２】
【図１】本実施形態のデータ再生システムの構成を示す図である。
【図２】本実施形態のデータ再生システムが装置ＩＤを送受信するときの動作を説明する図である。
【図３】本実施形態のデータ再生システムがデータを送受信するときの動作を説明する図である。
【符号の説明】
【００４３】
１０  データ再生システム
２０  データ要求装置
２１  ネットワークインタフェース
２２  通信インタフェース
２３  ＩＤ取得手段
２４  データ要求手段
３０  データ送信装置
３１  ネットワークインタフェース
３２  通信インタフェース
３３  ＩＤ記憶手段
３４  要求受信手段
３５  ＩＤ照合手段
３６  データ送信手段
３７  データ記憶手段
【図１】
2009267551.tif 000003
【図２】
2009267551.tif 000004
【図３】
2009267551.tif 000005